(57)【特許請求の範囲】
【請求項１】
フック孔を設けた面部を有する家具本体と、前記フック孔に挿入可能な爪部を有するパネル要素や棚板等のオプション部材とを具備しているものにおいて、
前記家具本体が、前後方向に開口し且つ少なくとも前記爪部が挿入されていない場合には開口している前記フック孔の外側端面を外部から隠蔽する隠蔽部材を具備してなり、当該隠蔽部材が、前記フック孔の開口入口側の開口幅を狭める方向に張り出す張り出し部を備え、前記張り出し部が、前記家具本体に隠蔽部材を取り付けた状態において、前記面部と略平行をなし且つ前記フック孔の外側端面を外部から被覆する隔壁と、前記面部と略直交する方向に延伸し且つ前記爪部を前記フック孔に挿入した状態において爪部が突き当たり得る内側壁とを具備したものであることを特徴とする家具。
【請求項２】
隠蔽部材が、前記フック孔の開口入口側の開口幅を狭める方向に張り出す張り出し部を具備し、この張り出し部により前記フック孔の外側端面を外部から隠蔽していることを特徴とする請求項１記載の家具。
【請求項３】
家具本体が、前記フック孔を設けた対向する一対の面部を具備し、前記隠蔽部材が、前記家具本体の対向する一対の面部間に介在し、前記面部に設けたフック孔同士の対面を遮断する突条部を具備していることを特徴とする請求項１又は２記載の家具。
【請求項４】
家具本体が、前記対向する一対の面部の一側縁部側を連結する連結面部を具備し、この連結面部に前記隠蔽部材の突条部の突出面を取り付けることにより、前記家具本体に隠蔽部材を取り付けるようにしていることを特徴とする請求項３記載の家具。
【請求項５】
隠蔽部材が、前記家具本体の対向する一対の面部を抱くように当該家具本体に外側から嵌合し得る嵌合凹部を具備していることを特徴とする請求項３又は４記載の家具。
【請求項６】
家具本体が、鉛直方向に略沿って延びる縦枠要素と、水平方向に略沿って延びる横枠要素とから構成される枠体状をなすものであり、前記フック孔が、前記縦枠要素又は横枠要素の少なくとも一方側に設けてあることを特徴とする請求項１、２、３、４又は５記載の家具。
【発明の詳細な説明】
【０００１】
【発明の属する技術分野】
本発明は、フック孔を設けてオプション部材を取り付ける場合に好適に利用される家具に関するものである。
【０００２】
【従来の技術】
例えば、デスクトップパネル等のパネルにおいて、棚やパネル要素等のオプション部材を取り付けることができるように、前記パネルを構成する枠体状の枠構造体の前後面にフック孔を開口させている場合がある。具体的には、オプション部材から爪部を突出しておき、その爪部を所要のフック孔に係り合わせて、前記オプション部材を枠構造体に取り付けるようにしている。
【０００３】
【発明が解決しようとする課題】
ところが、この種の家具では、前記フック孔が非常に目に付き易く、家具全体の格調を著しく損なうという問題点があった。
【０００４】
特に、利用者が家具の前方中央部に位置する使用時には、フック孔の外側端面が目に入り易く、このフック孔を目立たせるものとしていた。また、家具に光が当たった場合、前記フック孔の外側端面と家具の前面部とは互いに略直交して位置するので、両者間に陰影が付き易く、さらに前記フック孔を目立たせるものとなっていた。
【０００５】
そこで、本願発明は、簡単な構成で、家具に設けたフック孔を目立たなくすることができる家具を提供するものである。
【０００６】
【課題を解決するための手段】
すなわち、本発明は、フック孔を設けた面部を有する家具本体と、前記フック孔に挿入可能な爪部を有するパネル要素や棚板当のオプション部材とを具備しているものにおいて、前記家具本体が、前後方向に開口し且つ少なくとも前記爪部が挿入されていない場合には開口している前記フック孔の外側端面を外部から隠蔽する隠蔽部材を具備してなり、当該隠蔽部材が、前記フック孔の開口入口側の開口幅を狭める方向に張り出す張り出し部を備え、前記張り出し部が、前記家具本体に隠蔽部材を取り付けた状態において、前記面部と略平行をなし且つ前記フック孔の外側端面を外部から被覆する隔壁と、前記面部と略直交する方向に延伸し且つ前記爪部を前記フック孔に挿入した状態において爪部が突き当たり得る内側壁とを具備したものであることを特徴とする家具に関するものである。
【０００７】
通常、利用者がこの種の家具を利用する場合には、家具本体の前方中央部に位置する使用位置を取ることが多い。この使用位置では、前記フック孔の外側端面が露見してしまう上、家具に光が当たった場合に、前記フック孔の外側端面と家具の面部とは互いに略直交して位置するので、両者間に陰影が付き易く、前記フック孔が非常に目立ち家具全体の外観を損なう原因となっていた。しかしながら、本発明では、前記外側端面を隠蔽部材により隠蔽して外部から見えないようにしているため、前述したような不具合を解消し、フック孔を目立ち難くすることができる。
【０００８】
なお、本明細書中でいう所のフック孔の外側端面とは、当該フック孔の開口を形成する略鉛直方向に沿って延びる内向きの端面のことである。
【０００９】
また、例えば前記外側端面を外部から見え難くするために前記フック孔の実際の開口幅を大きく設定しても、前記フック孔に取り付ける棚板等のオプション部材の爪部のガタ付きを防止するには、隠蔽部材が、前記フック孔の開口入口側の開口幅を狭める方向に張り出す張り出し部を具備し、この張り出し部により前記フック孔の外側端面を外部から隠蔽していることが望ましい。特に、この場合には、張り出し部により狭められた前記フック孔の開口入口の開口幅が、前記オプション部材の爪部を挿入した際に、該爪部と張り出し部が突き当るような寸法に設定してあることが望ましい。
【００１０】
対向する面部に設けたフック孔を介して光が洩れ、家具の外観を損なうことを防止するには、家具本体が、前記フック孔を設けた対向する一対の面部を具備している場合に、前記隠蔽部材が、前記家具本体の対向する一対の面部間に介在し、前記面部に設けたフック孔同士の対面を遮断する突条部を具備していることが望ましい。
【００１１】
また、この場合には、家具本体が、前記対向する一対の面部の一側縁部側を連結する連結面部を具備し、この連結面部に前記隠蔽部材の突条部の突出面を取り付けることにより、当該家具本体に隠蔽部材を取り付けるようにしていることが望ましい。
【００１２】
前記フック孔の外側端面を外部から隠蔽した状態で前記隠蔽部材を家具本体に良好に取り付け得るには、隠蔽部材が、前記家具本体の対向する一対の面部を抱くように当該家具本体に外側から嵌合し得る嵌合凹部を具備していることが望ましい。
【００１３】
家具本体の好適な実施の態様としては、家具本体が、鉛直方向に略沿って延びる縦枠要素と、水平方向に略沿って延びる横枠要素とから構成される枠体状をなすものであり、前記フック孔が、縦枠要素又は横枠要素の少なくとも一方側に設けてあるものが挙げられる。
【００１４】
【発明の実施の形態】
以下、本発明の一実施の形態について図面を参照して説明する。
【００１５】
この枠構造体Ａは、家具の一種であり、矩形状の枠構造を有する家具本体たる枠構造体本体１と、この枠構造体本体１をその両側端部においてそれぞれ二箇所で床面Ｆに接地して支持する脚ベース２とを具備する。これら脚ベース２は、いずれも床面Ｆに接地する接地部２１ａを備えたベース本体２１と、前記枠構造体本体１の構成要素である支柱３を支持する支持部２２とを一体成形したアルミダイキャスト製部材である。
【００１６】
枠構造体本体１は、図１に示すように、前記脚ベース２に設けられた前記支持部２２にそれぞれ支持される左右一対の支柱３と、前記左右の脚ベース２間に亘って水平方向に略沿って取り付けられる横枠要素たる下枠材４と、前記左右の支柱３の上端部間に亘って水平方向に略沿って設けられる横枠要素たる上枠材５とからなるものである。本実施の形態では、図２に示すように、この枠構造体本体１の前後面にパネル要素Ｐや棚板T等のオプション部材を取り付け、机Ｂ等の他の家具に付帯させて使用している。
【００１７】
支柱３は、図３〜図５に示すように、鉛直方向に略沿って延びる横断面視略コ字形をなすスチール製チャネル状の縦枠要素たる内フレーム要素６と、この内フレーム要素６を外側から抱く姿勢で配置されるアルミ押出成形材である隠蔽部材たる外フレーム要素７とから構成される。
【００１８】
内フレーム要素６は、図４及び図６に示すように、対向する一対の面部たる前後壁６１、６２と、これら前後壁６１、６２の内側縁部を前後方向に連結する連結面たる側壁６３とから構成されている横断面視略外向きコ字形をなすものである。前記前後壁６１、６２は、上下方向に略沿って等ピッチで設けた複数のフック孔ｆ１を有しており、本実施の形態では、このフック孔ｆ１を利用して、前記枠構造体本体１の前面側に棚板Ｔを取り付けるようにしている。具体的には、図３に示すように、前記フック孔ｆ１に棚板Ｔから突出した爪部ｔ１を係り合わせて取り付ける。また、前記側壁６３も、上下方向に略沿って設けた複数のフック孔ｆ２を有しており、本実施の形態では、このフック孔ｆ２を利用して前記枠構造体本体１の前後面にパネル要素Ｐを取り付けるための内向き略コ字形状のブラケットBを取り付けるようにしている。このブラケットＢの前後壁ｂ１、ｂ２には、上下方向に略沿って複数のフック孔ｆ３が設けてあり、このフック孔ｆ３に前記パネル要素Ｐの裏面側から突出した爪部ｐ１を係り合わせて前記枠構造体本体１の前後面にパネル要素Ｐを取り付けるようにしている。なお、図３は、前面側に取り付けるパネル要素Ｐを省略し、後面側に取り付けるパネル要素Ｐのみを示した図となっている。
【００１９】
外フレーム要素７は、前記脚ベース２の支持部２２と同様の平面視小判形をなす中空部材であって、外側壁７１と内側壁７２の前後両端部を平面視半円形状をなす前後一対の湾曲壁７３によってそれぞれ連続させている。前記内側壁７２の奥行き方向中央部には、前記内フレーム要素６の前後両壁６１、６２を前後方向に挟み込み且つそれらの幅寸法の大半を飲み込み得るように、上下方向に延びる平面視コ字形の嵌合凹部たる溝部７４を形成している。また、この溝部７４の奥行き方向中央部には、内フレーム要素６側へ突出させた鉛直方向に略沿って延びる突条部７５を形成しており、この突条部７５の突出面７５ｂを内フレーム要素６の側壁６３における内面側に突き当てた状態で、それらを図４及び図６に示すようにビス７６により上下複数箇所で固定するようにしている。さらに、前記外側壁７１と内側壁７２との間にはそれらと直交する姿勢で前後方向に対をなす隔壁７７を設けている。そして、前記外側壁７１と、内側壁７２における奥行き方向中央部と、前記両隔壁７７とによって包囲され上下に貫通する凹部７８内に、脚ベース２の支持部２２から上方へ突出した突部（図示せず）を下方から挿入させて、前記支柱３を前記支持部２２に支持させるようにしている。また、前記隔壁７７には、その幅方向略中央部に、それぞれ平面視Ｃ字形をなして上下方向に延びる筒状部７７ａが設けてある。この筒状部７７ａの上下端部の内周面には、ねじ孔７７ｂが設けてあり、特に、下端部側のねじ孔７７ｂは、前記脚ベース２の支持部２２に形成したボルト挿通孔（図示せず）に対応し、当該脚ベース２に支柱３を固定する場合に利用される。なお、前記外側壁７１の奥行き方向中央部には、デザイン上の向上のために上下方向に延びる浅い溝７１ａが設けてある。また、支柱３の上端部にはキャップ部材Ｃ（図１参照）を設けて外観の向上を図っている。
【００２０】
この外フレーム要素７を前記内フレーム要素６に取り付ける場合には、先ず、前記外フレーム要素７が、前記内フレーム要素６を外側から抱く姿勢となるように、前記溝部７４内に、前記内フレーム要素６の前後壁６１、６２を前後方向に挟み込ませ且つそれらの幅寸法の大半を飲み込み得るように配置する。そして、前記外フレーム要素７の突条部７５の突出面７５ｂを内フレーム要素６の側壁６３における内面側に突き当てた状態で、内フレーム要素６の側壁６３の外側から挿入したビス７６を対応する突条部７５に設けたねじ孔７５ａにねじ作用を利用して嵌めることにより上下複数箇所で固定する。
【００２１】
下枠材４は、角パイプ材からなり、脚ベース２から内向きに突出させて形成した図示しない突起をそれぞれ両端部側に挿入させた姿勢で、左右の脚ベース２に支持されるようにしている。この下枠材４とそれに挿入される突起とは、図示しないボルト等により固定される。
【００２２】
上枠材５は、角パイプ材からなり、支柱３を構成する内フレーム要素６の上端部に内向きに突出させて形成した図示しない突起をそれぞれ両端部側に挿入させた姿勢で、左右の支柱３の上端部間に架け渡して設けられるものである。この上枠材５とそれに挿入される突起とは、図示しないボルト等により固定される。
【００２３】
このような構成のものにおいて、本実施の形態では、前記外フレーム要素７が、図４〜図６に示すように、前記内フレーム要素６の前後壁６１、６２に設けた前記フック孔ｆ１の外側端面ｆ１１を外部から隠蔽するように取り付けてあり、前記フック孔ｆ１の外側端面ｆ１１の隠蔽部材として機能している。
【００２４】
フック孔ｆ１は、鉛直方向に略沿って延びる縦長の略矩形状のものである。なお、ここで言う所のフック孔ｆ１の外側端面ｆ１１とは、当該フック孔ｆ１の開口を形成する鉛直方向に略沿って延びる内向きの端面のことである。また、前記外フレーム要素７は、前記フック孔ｆ１の開口入口ｆ１２側の開口幅を狭める方向に張り出す張り出し部７９を前記内側壁７２及び隔壁７７により構成し、この張り出し部７９により前記フック孔ｆ１の外側端面ｆ１１を外部から隠蔽している。そして、本実施の形態では、前記張り出し部７９により狭められた前記フック孔ｆ１の開口入口ｆ１２の開口幅を、前記棚板Ｔの爪部ｔ１を挿入した際に、前記爪部ｔ１と張り出し部７９が突き当るように設定し、取付時のガタ付きを防止し得るようにしている。さらに、この外フレーム要素７の前記突条部７５は、前記内フレーム要素６の前後壁６１、６２間に介在し、前記前後壁６１、６２に設けたフック孔ｆ１同士の対面を遮断することにより、前記フック孔ｆ１を介して光が洩れることを有効に防止するものである。
【００２５】
通常、利用者がこの種の家具を利用する場合には、家具の前方中央部に位置する使用位置を取ることが多い。この使用位置では、前記フック孔ｆ１の外側端面ｆ１１が露見してしまう上、家具に光が当たった場合に、前記フック孔ｆ１の外側端面ｆ１１と家具の前面部とは互いに略直交して位置するので、両者間に陰影が付き易く、前記フック孔ｆ１が非常に目立ち家具全体の外観を損なう原因となっていた。しかしながら、本実施の形態では、前記外側端面ｆ１１を外フレーム要素７により隠蔽して外部から見えないようにしているため、前述したような不具合を解消してフック孔ｆ１を目立ち難くし、ひいては家具全体の外観を良好なものとすることができる。
【００２６】
特に、本実施の形態では、外フレーム要素７が、前記フック孔ｆ１の開口入口ｆ１２側の開口幅を狭める方向に張り出す張り出し部７９を具備し、この張り出し部７９により前記フック孔ｆ１の外側端面ｆ１１を外部から隠蔽している上、前記張り出し部７９により狭められた前記フック孔ｆ１の開口入口ｆ１２の開口幅を、前記棚板Ｔの爪部ｔ１を挿入した際に、前記爪部ｔ１と張り出し部７９が突き当るように設定しているので、前記外側端面ｆ１１を外部から見え難くするために前記フック孔ｆ１の実際の開口横幅を大きく設定しても、図６に示すように、棚板Ｔの爪部ｔ１は、前記張り出し部７９に突き当り、取付時のガタ付きを有効に防止することができる。
【００２７】
外フレーム要素７が、前記内フレーム要素６の前後壁６１、６２間に介在し、前記前後壁６１、６２に設けたフック孔ｆ１同士の対面を遮断する突条部７５を具備しているので、前記前後壁６１、６２に設けたフック孔ｆ１を介して光が洩れ、家具全体の外観を損なうことを有効に防止することができる。
【００２８】
内フレーム要素６が、前記前後壁６１、６２の一側縁部側を連結する側壁６３を具備し、この側壁６３に前記外フレーム要素７の突条部７５の突出面７５ｂを取り付けることにより、前記内フレーム要素６に外フレーム要素７を取り付けるようにしているので、前記突条部７５を光洩れを防止する遮蔽部として機能させるだけでなく、取付部としても利用することが可能である。
【００２９】
外フレーム要素７が、前記内フレーム要素６の前後壁６１、６２を抱くように当該内フレーム要素６に外側から嵌合し得る溝部７４を具備しているので、前記フック孔ｆ１の外側端面ｆ１１を外部から隠蔽した状態で前記外フレーム要素７を良好に内フレーム要素６に取り付けることができる。
【００３０】
なお、本発明における構成は、以上説明したものに限定されないのは勿論であり、前記フック孔及び隠蔽部材は、横枠要素である上下枠材に設けてあってもよい。また、家具も本実施の形態のような構造枠体に限定されず、その他の構成も、本発明の趣旨を逸脱しない範囲で種々変形が可能である。
【００３１】
【発明の効果】
本発明は、以上説明したような構成で実施され以下に記載されるような効果を奏する。
【００３２】
すなわち、本発明は、隠蔽部材により前記フック孔の外側端面を外部から隠蔽するようにしているので、前記フック孔を目立たなくして家具全体の格調を高めることが可能となる。
【図面の簡単な説明】
【図１】本発明の一実施の形態における全体斜視図。
【図２】同実施の形態における一使用態様を示す全体斜視図。
【図３】同要部を示す分解斜視図。
【図４】同要部を拡大して示す斜視図。
【図５】同要部を示す正面図。
【図６】同図５に対応するＩ−Ｉ線断面図。
【符号の説明】
１…家具本体（枠構造体本体）
４…横枠要素（下枠材）
５…横枠要素（上枠材）
６…縦枠要素（内フレーム要素）
６１…面部（前壁）
６２…面部（後壁）
６３…連結面部（側壁）
７…隠蔽部材（外フレーム要素）
７４…嵌合凹部（溝部）
７５…突条部
７５ｂ…突出面
７９…張り出し部
Ａ…家具（枠構造体）
ｆ１…フック孔
ｆ１１…外側端面
ｆ１２…開口入口
【図１】
0003961257.tif 000002
【図２】
0003961257.tif 000003
【図３】
0003961257.tif 000004
【図４】
0003961257.tif 000005
【図５】
0003961257.tif 000006
【図６】
0003961257.tif 000007